(57)【要約】【課題】使用者にとって、適切な表示輝度でディスプレイへのデータ表示を行うことが可能な電子機器、液晶表示装置及び表示制御方法を提供することを目的とする。【解決手段】オートモードに設定されている場合は（ステップＳ２０１のＹＥＳ）、受光部７によって周囲環境照度の検出を行う（ステップＳ２０２）。受光部７によって検出された照度に基づき、図５に示した明るさに応じて、出力部４３で出力信号を生成し、輝度信号を出力する（ステップＳ２０３）。また、オートモードに設定されていない場合は（ステップＳ２０１のＮＯ）、表示コントローラ１４から、図６に示した予め設定されている制御信号を電源回路４０に送出し、電源回路４０はバックライト４１の輝度制御を行う（ステップＳ２０６）。【選択図】　図９
2004117944.tif 000002
【特許請求の範囲】
【請求項１】
表示の明るさを調整可能な表示手段を有する電子機器において、
前記電子機器周辺の照度を検出する検出手段と、
前記検出された照度に基づいて前記表示手段の表示面の明るさを調節する第１のモードと、前記検出された照度に関係なく所定の明るさで表示手段を表示する第２のモードとを切り替える切り替え手段と
を具備することを特徴とする電子機器。
【請求項２】
表示輝度を調節可能な表示手段と、
周囲の照度を検出可能な検出手段と、
前記検出手段の検出結果に基づいて、前記輝度を調節する輝度調節手段と、
前記検出された照度に基づいて前記表示手段の表示輝度を調節する第１のモードと、前記検出された照度に関係なく所定の表示輝度で前記表示手段を表示する第２のモードとを切り替える切り替え手段と
を具備することを特徴とする電子機器。
【請求項３】
表示手段と、
周囲の照度を検出可能な照度検出手段と、
前記照度検出手段で検出した第１の照度が検出された場合に第１の輝度で前記表示手段を表示し前記輝度検出手段で検出した第２の明るさの場合に第２の輝度で前記表示手段を表示する第１のモードと、前記照度検出手段の検出結果に関係なく第３の輝度で前記表示手段を表示する第２のモードとを切り替え可能な切り替え手段と、
を具備することを特徴とする電子機器。
【請求項４】
前記第２のモードで表示が行われている場合に、前記検出手段への動作電源の供給を停止する電源手段をさらに具備することを特徴とする請求項１または２または３に記載の電子機器。
【請求項５】
本体と、
前記本体と接続された表示部と、
前記表示部に設けられ輝度を調節可能な表示手段と、
前記表示部周囲の明るさを検出する検出手段と、
前記検出された明るさに基づいて前記表示手段の輝度を調節する第１のモードと、前記検出された明るさに関係なく所定の輝度で前記表示手段を表示する第２のモードとを切り替え可能な切り替え手段と、
を具備することを特徴とする電子機器。
【請求項６】
前記検出手段は前記表示部に設けられていることを特徴とする請求項５に記載の電子機器。
【請求項７】
前記検出手段は前記本体に設けられていることを特徴とする請求項５に記載の電子機器。
【請求項８】
前記第２のモードで表示が行われている場合に、前記検出手段への動作電源の供給を停止する電源手段をさらに具備することを特徴とする請求項６または７に記載の電子機器。
【請求項９】
前記照度検出手段で第１の照度が検出された場合に第１の輝度で前記表示手段を表示し、前記輝度検出手段で検出した第２の照度が検出された場合に第２の輝度で前記表示手段を表示することを特徴とする請求項８に記載の電子機器。
【請求項１０】
表示輝度を調節可能な表示手段および入力手段を具備する電子機器の表示制御方法において、
前記入力手段からの所定信号を検出した場合、前記電子機器周辺の照度を検出し、
前記検出した照度に基づき前記表示輝度を調節する第１のモードで前記表示手段の表示を行い、
前記第１のモードで表示が行われている場合に、前記入力手段からの前記所定信号を検出した場合、あらかじめ決められた輝度により表示を行う第２のモードで前記表示手段の表示を行うことを特徴とする表示制御方法。
【発明の詳細な説明】
【０００１】
【発明の属する技術分野】
本発明は、液晶表示装置を具備する電子機器、及び表示制御方法に関する。
【０００２】
【従来の技術】
近年、パーソナルコンピュータ（以下、パソコンと称す）に代表される情報処理装置の普及は著しく、持ち運び易いものなど携帯性が重視されている。このような情報処理装置の表示装置としては、液晶ディスプレイに代表されるフラットパネルディスプレイが設けられることが多い。このようなディスプレイを有する情報処理装置を携帯し、移動中などに使用する場合、周囲の明るさによってディスプレイが見づらくなる減少が起きることがある。すなわち周囲が明るい場合、ディスプレイの気度が低いと暗く見づらくなる。一方、周囲が暗い場合、ディスプレイの輝度が高いと明るすぎて見づらくなる。
【０００３】
このような問題に鑑みて、周囲の明るさを検出し、その明るさに応じてディスプレイの輝度を調節する装置も現れている。このような装置では、周囲の明るさに応じて自動的にディスプレイの輝度も変更されるため、特に持ち運び可能な携帯型の電子機器に有効である。
【０００４】
【特許文献１】特開２００１−１３４２５５号公報（第３頁−４頁、第２図）
【０００５】
【発明が解決しようとする課題】
しかし、周囲の明るさに応じて自動的にディスプレイの明るさが変更されるのは便利だが、必ずしも使用者の思い通りの明るさに変更されるとは限らない。また、上記公報の技術においても、必ずしもディスプレイの明るさを変更する必要があるわけでもなく、時々刻々とディスプレイの明るさが変更されてしまうのも使用者にとって目が疲れる等負担になってしまうという問題もあった。
【０００６】
上記課題を解決するために、本発明は、適切な表示輝度でディスプレイへのデータ表示を行うことが可能な電子機器、液晶表示装置及び表示制御方法を提供することを目的とする。
【０００７】
【課題を解決するための手段】
上記目的を達成するために、請求項１に係る発明では、表示の明るさを調整可能な表示手段を有する電子機器において、電子機器周辺の照度を検出する検出手段と、検出された照度に基づいて表示手段の表示面の明るさを調節する第１のモードと、検出された照度に関係なく所定の明るさで表示手段を表示する第２のモードとを切り替える切り替え手段とを具備することを特徴とする。
【０００８】
このような構成により、適切な表示輝度でディスプレイへのデータ表示を行うことが可能な電子機器を提供することが可能である。
【０００９】
また、請求項２に係る発明では、表示輝度を調節可能な表示手段と、周囲の照度を検出可能な検出手段と、検出手段の検出結果に基づいて、輝度を調節する輝度調節手段と、検出された照度に基づいて表示手段の表示輝度を調節する第１のモードと、検出された照度に関係なく所定の表示輝度で表示手段を表示する第２のモードとを切り替える切り替え手段とを具備することを特徴とする。
【００１０】
このような構成により、適切な表示輝度でディスプレイへのデータ表示を行うことが可能な電子機器を提供することが可能である。
【００１１】
また、請求項３に係る発明では、表示手段と、周囲の照度を検出可能な照度検出手段と、照度検出手段で検出した第１の照度が検出された場合に第１の輝度で表示手段を表示し輝度検出手段で検出した第２の明るさの場合に第２の輝度で表示手段を表示する第１のモードと、照度検出手段の検出結果に関係なく第３の輝度で表示手段を表示する第２のモードとを切り替え可能な切り替え手段と、を具備することを特徴とする。
【００１２】
このような構成により、適切な表示輝度でディスプレイへのデータ表示を行うことが可能な電子機器を提供することが可能である。
【００１３】
また、請求項５に係る発明では、本体と、本体と接続された表示部と、表示部に設けられ輝度を調節可能な表示手段と、表示部周囲の明るさを検出する検出手段と、検出された明るさに基づいて表示手段の輝度を調節する第１のモードと、検出された明るさに関係なく所定の輝度で表示手段を表示する第２のモードとを切り替え可能な切り替え手段と、を具備することを特徴とする。
【００１４】
このような構成により、適切な表示輝度でディスプレイへのデータ表示を行うことが可能な電子機器を提供することが可能である。
【００１５】
【発明の実施の形態】
以下本発明に係る実施形態を、図面を参照して説明する。
【００１６】
図１に、第１の実施形態に係る電子機器の外観斜視図を示す。本実施形態では、電子機器の例として、液晶表示装置を具備するノート型パソコン（以後、パソコンと称す）を例に取り説明する。
【００１７】
パソコン１は、上面部にキーボード２が配設された本体ユニット３と、本体ユニット３とヒンジ部４を介して接続されるディスプレイユニット５とを有しており、ディスプレイユニット５は本体ユニット３内で処理されたデータなどを表示可能にするＬＣＤ６を有している。
【００１８】
ディスプレイユニット５はヒンジ部４を介して矢印Ａ−Ｂ方向に回動可能であり、キーボード２を覆う閉状態と、本体ユニット３に対して略垂直状態でキーボード２を使用可能な状態とさせる開状態との間で回動可能である。ＬＣＤ６は、ディスプレイユニット５に内蔵されたバックライト（図示せず）により背面から光源を照射され表示面の明るさ（輝度）を保ち、使用者に視認可能な表示が行なわれる。
【００１９】
また、本実施形態ではディスプレイユニット５周囲の明るさ（以後、周囲環境照度と称す）を検出する光センサ回路の受光部７が設けられている。
【００２０】
この受光部７は、フォトダイオードなどにより構成されるものであり、検出した光の強度に応じた電流を出力する半導体素子である。本実施形態の場合、周囲環境照度に応じて出力される電流が異なることになり、この異なった電流値により周囲の明るさを検知することが可能となる。また、本実施形態ではディスプレイユニット５に設けているが、設置場所はどこに設けても構わない。
【００２１】
図２に、第１の実施形態に係る電子機器のハードウェア構成図を示す。
【００２２】
図２は、パソコン１のハードウェア構成の一部を示したものである。パソコン１全体の制御を司るＣＰＵ１１と第１のブリッジ回路１２とは６４ビット幅のデータバスによって接続しており、第１のブリッジ回路１２とメインメモリ１３との接続はメモリバスを介して接続されている。また、第１のブリッジ回路１２と表示コントローラ１４とはＡＧＰ（Ａｄｖａｎｃｅｄ　Ｇｒａｐｈｉｃｓ　Ｐｏｒｔ）バス１５を介して接続している。
【００２３】
第１のブリッジ回路１２と第２のブリッジ回路１６とは、３２ビット幅のデータバスを有する第１のバス１７によって接続している。
【００２４】
第２のブリッジ回路１６に接続している第２のバス１８を介して、エンベデットコントローラ（以後、ＥＣと称す）１９及びＢＩＯＳ−ＲＯＭ２０が接続している。
【００２５】
ＣＰＵ１１は、パソコン１全体の動作制御およびデータ処理等を実行するものであり、メインメモリ１３内のプログラムを実行する。
【００２６】
第１のブリッジ回路１２は、ＣＰＵ１１と第１のバス１７とを接続するブリッジＬＳＩであり、第１のバス１７のバスマスタデバイスの１つとして機能する。この第１のブリッジ回路１２は、メモリバスを介してメインメモリ１３のアクセス制御を行なう機能も有している。また、ＡＧＰバス１５を介して、表示コントローラ１４とも接続されている。
【００２７】
メインメモリ１３は、オペレーティングシステム、ＢＩＯＳプログラムや、実行対象のアプリケーションプログラムおよび処理データなどを格納するメモリデバイスであり、複数のＤＲＡＭによって構成されている。
【００２８】
第１のバス１７はクロック同期型の入出力バスであり、第１のバス１７上の全てのサイクルは、第１のバス１７のクロックに同期して行う。この第１のバス１７は、時分割的に使用されるアドレス／データバスを有している。
【００２９】
表示コントローラ１４は、ＬＣＤ６へ表示する表示データを制御する回路であり、第１のブリッジ回路１２からＡＧＰバス１５を介して画像データを受け取り、ＬＣＤ６へ表示データを表示させるものである。
【００３０】
ＡＧＰバス１５は３２ビット幅のデータバスであり、大容量の動画データや表示データを表示コントローラ１４へ転送する際に用いられるインターフェースバスである。
【００３１】
第２のブリッジ回路１６は、第１のバス１７と第２のバス１８との間を繋ぐブリッジＬＳＩであり、第１のバス１７と第２のバス１８との間のバス変換等を行う。
【００３２】
第２のブリッジ回路１６から延出する第２のバス１８には、ＥＣ１９及びＢＩＯＳ−ＲＯＭ２０が接続されている。
【００３３】
ＥＣ１９は、第２のバス１８とＩ２Ｃバス２１とを繋ぐブリッジＬＳＩであり、ＣＰＵ１１によってリード／ライト可能な複数のレジスタ群を内蔵している。これらレジスタ群が使用されることにより、ＣＰＵ１１とＩ２Ｃバス２１上のデバイスとの通信が可能となる。また、キーボードコントローラとしての機能も有しており、Ｉ２Ｃバス２１を介してキーボード２および電源マイコン２２が接続されている。
【００３４】
ＢＩＯＳ−ＲＯＭ２０は、パソコン１の起動時及びパソコン１の動作中に実行されるプログラムを記憶した記憶媒体であり、各種ハードウェアの設定、プラグ・アンド・プレイ、省電力機能の設定情報を記憶しているものであり、書換え可能なフラッシュＲＯＭにより構成されている。
【００３５】
キーボード２は、図１にも示したように、使用者インターフェースとなる入力デバイスである。
【００３６】
電源マイコン２２は、パソコン１の電源管理を行ない、各デバイスへの電源供給制御を行うデバイスである。
【００３７】
続いて、図３に第１の実施形態に係るディスプレイユニットのハードウェア構成図を示す。
【００３８】
表示コントローラ１４から出力された、表示データは、入出力端子３１へ入力される。入出力端子は、表示コントローラ１４、およびパソコン１内の電源回路からディスプレイユニット５が駆動される電源の入力が行われるインターフェースであり、受光部７を含む光センサ回路３２との間の制御信号も入出力される。
【００３９】
また、入出力端子３１は、第１のブリッジ回路１２、および表示コントローラ１４から送られてくる各種信号（表示データ、表示タイミングの同期信号）をタイミングコントロール回路３３へ出力する。
【００４０】
タイミングコントロール回路３３は、インターフェース回路３４及びタイミングコンバータ３５とを有し、小振幅差動信号をＣＭＯＳレベル信号に変換し、データドライバ３６と走査ドライバ３７に対応した信号を生成する。
【００４１】
インターフェース回路３４はＬＶＤＳ（Ｌｏｗ　Ｖｏｌｔａｇｅ　Ｄｉｆｆｅｒｅｎｔｉａｌ　Ｓｉｇｎａｌｉｎｇ）などの差動データ信号方式の回路により構成され、信号変換を行ない、タイミングコンバータ３５へ出力する。これは、パソコンから送られる信号に応じて、ＴＭＤＳ（Ｔｒａｎｓｍｉｓｓｉｏｎ　Ｍｉｎｉｍｉｚｅｄ　Ｄｉｆｆｅｒｅｎｔｉａｌ　Ｓｉｇｎａｌｉｎｇ）や、ＧＶＩＦ（Ｇｉｇａ　ｂｉｔ　Ｖｉｄｅｏ　Ｉｎｔｅｒｆａｃｅ）から構成される場合もある。
【００４２】
タイミングコンバータ３５は、インターフェース回路３４から入力された信号を、データドライバ３６、走査ドライバ３７、それぞれのタイミングに応じた制御信号及び表示データへ変換し出力する。
【００４３】
データドライバ３６は、表示パネルがＴＦＴ（Ｔｈｉｎ　Ｆｉｌｍ　Ｔｒａｎｇｉｓｔｅｒ）の場合は、２シフトレジスタ回路、ラッチ回路、Ｄ／Ａコンバータ回路、出力バッファ回路等により構成され、タイミングコンバータ３４から送られてきた１画素毎の階調データを表示データに対応した階調電圧を生成し、ＬＣＤ６の表示パネル３８へ出力する。
【００４４】
走査ドライバ３７は、シフトレジスタ回路、レベルシフト回路、出力バッファ回路などにより構成されており、ＬＣＤ６の順次走査電極線を走査する。走査線は１行ごとに選択され、タイミングコンバータ３５で生成されたタイミングで駆動される。
【００４５】
また、ディスプレイユニット５は、パソコン１に内蔵されている電源回路からバックライトまたはフロントライトを点灯させる直流電源が入力される入力端子３９も具備しており、この直流電源に基づいて、電源回路４０は交流電源を発生しバックライト４１へ供給する。
【００４６】
バックライト４１は、表示パネル３８に出力されるデータの視認性を向上させるために表示パネル３８の背面から光を照射するものである。このバックライト４１の他に、フロントライトが用いられる場合もある。
【００４７】
また光センサ回路３２は、入出力端子３１を介して光センサ回路３２のオン／オフを制御する制御信号を受けて、光センサ回路３２自身の制御を行う。また、周囲環境照度に応じた信号を入出力端子３１を介してパソコン１側の表示コントローラへ出力する。本実施形態では、入出力端子３１を介して信号の入出力を行っているが専用の端子を設けて信号の入出力を行っても構わない。
【００４８】
続いて、図４に第１の実施形態に係る光センサ回路のブロック図を示す。
【００４９】
受光部７は周囲環境照度に応じた電流値を変換部４２へ出力し、フォトダイオードなどの半導体素子により構成されている。本実施の形態では、明るさに比例して、出力される電流値が大きくなるものとする。これは電圧値の変化でもよいものとする。
【００５０】
変換部４２は、受光部７からの電流値を、所定の信号（以後、照度信号と称す）に変換し、出力部４３へ出力する。
【００５１】
出力部４３は、変換部４２によって変換された照度信号を入出力端子３１へ出力する回路である。また、入出力端子３１から入力される制御信号４４により、照度信号の出力／非出力を切り替えることも可能である。
【００５２】
また、光センサ回路３２には、この光センサ回路３２の電源をオン／オフするオン／オフ回路４５も設けられている。入出力端子３１から入力される制御信号４６により光センサ回路３２全体への電源供給のオン／オフを切り替えることが可能である。これは光センサ回路３２の使用／非使用を切替えた場合に、光センサ回路３２内の回路への電源供給を停止し、省電力化を図ることを可能にする。例えば、光センサ回路３２を使用する場合は３．３Ｖの電圧が印加され、光センサ回路３２を使用しない場合は０Ｖまたはハイインピーダンス状態にすることで、光センサ回路３２への電源供給状態を切り替えることが可能である。
【００５３】
図５に第１の実施形態に係る光センサ回路から出力される信号例の図を示す。
【００５４】
これは、光センサ回路３２内において、受光部７で受光した周囲環境照度が変換部４２において変換される信号の例である。
【００５５】
本実施形態では、周囲環境照度に対する制御として３段階の照度に応じて制御される例である。
【００５６】
受光部７から４ミリアンペア以上の電流値が入力されると変換部４２において、周囲環境照度が７５０ルクス以上と判断する。これは、フォトダイオードの特性に依存するが、入力された電流値によって、照度を検出可能である。この場合、ほぼ野外などの太陽光の下での明るさであり、変換部４２は、“１１”の２ビットの照度信号を出力する。また、１．７ミリアンペア未満の電流値が入力されると、周囲環境照度は３００ルクス未満と判断し、変換部４２は“０１”の２ビットの照度信号を出力する。受光部７から送出される電流値に応じて、上記照度信号がパソコン１本体側へ送出される。また、上記例では２ビットの制御信号が出力されているが、所定の電圧値を出力してもよい。例えば太陽光の明るさと判断されたら、３．３Ｖの電圧値を出力するといったことでも良い。
【００５７】
図６に第１の実施形態に係るバックライトの輝度を制御する輝度設定例の図を示す。
【００５８】
本体から出力される信号は、入力端子３９を介して、制御信号４６が電源回路４０に入力される。電源回路４０は、入力された制御信号４６に応じて、バックライト（またはフロントライト）の点灯制御を行う。
【００５９】
またＬＣＤ６の種類は、透過型、反射型、半透過型などがあるがシステム設計時に、ＬＣＤの種類に応じたバックライトの点灯制御設定を行ってもいいし、パソコン１の起動時の初期化処理時にＢＩＯＳ−ＲＯＭにより、ＬＣＤの種類を判別するようにしてもよい。ＬＣＤの種類によっても輝度制御が異なり、反射型もしくは半透過型のＬＣＤが用いられている場合は、周囲環境照度が明るい時は、バックライトやフロントライトが消灯状態でもＬＣＤ上の画像を認識可能である。
【００６０】
本実施形態では、例えば、ファンクションキーを押すことで、光センサの出力に応じて自動で輝度制御を行うモード（以後、オートモードと称す）と、周囲の照度に関係なく所定の照度で表示を行うモード（以後、マニュアルモードと称す）とを任意に切り替えることが可能である。
【００６１】
たとえば、キーボード２の所定キーにモードを切り替える機能を割り当て、その所定キーを押す度に、オートモードとマニュアルモードとが繰り返し切り替わるような制御が考えられる。また、パソコン１の起動時などに設定可能なセットアップ画面で照度切り替えモードと基本モードとの選択を行わせることも可能である。この例について、図７と図８とを用いて説明する。
【００６２】
図７に第１の実施形態に係る輝度制御モード切替制御のフローチャートを示す。
【００６３】
まず、キーボード２から何らかの入力があった場合にＥＣ１９は割込み信号を上位のデバイスへ通知する。この割込み信号を検知したＣＰＵ１１は（ステップＳ１０１のＹＥＳ）、この割込み信号が、所定の割込み信号であるか否かを判断する（ステップＳ１０２）。ここでは、割込み信号がディスプレイの輝度制御モードの切り替えを示す割込みであるかいなかを判断するが、輝度制御モードの切り替えを示す割込みであった場合（ステップＳ１０２のＹＥＳ）、表示コントローラ１４に設けられているレジスタ（図示せず）を参照する（ステップＳ１０３）。このレジスタは、現在どちらのモードであるか否かを記憶するレジスタである。このレジスタを参照し、現在の表示モードがオートモードであった場合は（ステップＳ１０４のＹＥＳ）、マニュアルモードに変更し（ステップＳ１０５）、予め設定されている所定の輝度でバックライトの点灯制御を行わせる。この際に、入出力端子３１を介して、光センサ回路３２へ制御信号４６を出力することで、光センサ回路３２全体への電源供給がオフ状態となる。このことにより、光センサ回路３２内の回路への電源供給を停止し、省電力化を図ることを可能にする。
【００６４】
また、表示コントローラ１４内のレジスタに記憶されているモード設定がマニュアルモードを示していた場合（ステップＳ１０４のＮＯ）、オートモードに切り替える（ステップＳ１０６）。この際に、入出力端子３１を介して、光センサ回路３２へ制御信号４６を出力することで、光センサ回路３２全体への電源供給がオン状態となる。このことにより、光センサ回路３２内の回路への電源供給を開始し、周囲環境照度の検出が可能となり、明るさに応じたＬＣＤの輝度制御を行うことが可能となる。上述の例では、表示コントローラ１４ないに設けられたレジスタにモード設定が記憶されている例を示したが、第１のブリッジ回路や、ＥＣ１９内のレジスタに記憶されていても構わない。
【００６５】
続いて、図８に、第１の実施形態に係るモード切替を設定することが可能なセットアップ画面の図を示す。
【００６６】
セットアップ画面５５は、パソコン１の起動時に、特定キーを押下することによって起動されるものである。このセットアップ画面５５では、起動時にオペレーティングシステムを読み出すデバイスの優先順位を設定したり、上述のディスプレイの輝度制御の設定を可能とする。オペレーティングシステムを読み出すデバイスの優先順位を決定する項目５６では、パソコン１の起動時に、設定枠５７に表示されている上位のデバイスから順に読み出しを行う。また、ディスプレイの輝度制御モードを切り替える項目５８では、設定枠５９の中で上位にあるほうが有効とされる。この場合、「ＡＵＴＯ」と「ＭＡＮＵＡＬ」という表示がされている。「ＡＵＴＯ」は、上述のオートモードに対応し、「ＭＡＮＵＡＬ」は上述のマニュアルモードに対応している。図示の例では、「ＡＵＴＯ」のほうが「ＭＡＮＵＡＬ」より上位にあることから、オートモードに設定されていることになり、光センサ回路３２を用いた周辺環境照度に応じた輝度制御が行われることになる。
【００６７】
このセットアップ画面で設定された内容は、ＢＩＯＳ−ＲＯＭ２２に電気的に接続される図示しないＣＭＯＳメモリに記憶される。パソコン起動時に、このＣＭＯＳメモリの無いように基づいて、表示コントローラ１４内に設けられているレジスタにディスプレイの表示モードがどちらのモードであるかを設定する。
【００６８】
次に、図９に第１の実施形態に係る輝度制御を行う例の制御処理のフローチャートを示す。
【００６９】
最初にオートモードに設定されているか否かを判断する（ステップＳ２０１）。これは前述したように、表示コントローラ１４内のレジスタを参照して判断する。オートモードに設定されている場合は（ステップＳ２０１のＹＥＳ）、受光部７によって周囲環境照度の検出を行う（ステップＳ２０２）。受光部７によって検出された照度に基づき、図５に示した明るさに応じて、出力部４３で出力信号を生成し、輝度信号を出力する（ステップＳ２０３）。
【００７０】
出力された情報を元にＣＰＵ１１が図６に示したような制御信号を生成し（ステップＳ２０４）、表示コントローラ１４から電源回路４０へ出力する。電源回路４０は受信した制御信号を元に、バックライト４１の電圧を制御する（ステップＳ２０５）。このように、オートモードに設定されている時は、ステップＳ２０２からステップＳ２０５の間の制御処理が随時行われる。本実施形態では所定時間ごとに照度を検出して制御する。
【００７１】
また、オートモードに設定されていない場合は（ステップＳ２０１のＮＯ）、表示コントローラ１４から、図６に示した予め設定されている制御信号を電源回路４０に送出し、電源回路４０はバックライト４１の輝度制御を行う（ステップＳ２０６）。ここでは、例えば初期設定知が高輝度で表示と設定されていれば、高輝度で表示を行う。また、マニュアルモードでは、使用者により輝度の設定も行うことが可能であるので、輝度の状態を表示コントローラ１４内のレジスタに記憶する（ステップＳ２０７）。ここで、記憶された表示輝度は、次回以降、オートモードからマニュアルモードへ切り替えられた際に参照され、レジスタに記憶された輝度情報に基づいてバックライト４１の点灯制御が行われることになる。また、光センサ回路３２への電源供給を停止しする（ステップＳ２０８）。
【００７２】
また、マニュアルモードの時は使用者が輝度調節を任意に切り替えることが可能である。
【００７３】
図１０に、第１の実施形態に係るマニュアルモードの時の輝度切替え制御のフローチャートを示す。
【００７４】
本実施形態では、「高輝度」、「中輝度」、「低輝度」の３つの輝度状態を切り替えることが可能なものとする。この輝度変更処理は、キーボード２に設けられた第２の所定キー（前述のモード切替のキーと区別するため、ここでは第２の所定キーと称す）を押すことで切り替えることが可能となる。
【００７５】
この第２の所定キーが押されたことを検出すると、レジスタを参照し、現在の輝度設定を確認する。前述したように、初期設定状態で高輝度の表示が行われていた場合は、中輝度に変更し、中輝度に変更されたことをレジスタに記憶する（ステップＳ３０１）。また、中輝度の状態から、さらに第２の所定キーが押された場合、低輝度に変更し、低輝度に変更されたことをレジスタに記憶する（ステップＳ３０２）。さらに、第２の所定キーが押された場合は、高輝度に変更し、高輝度に変更されたことをレジスタに記憶する。
【００７６】
このように、３つの状態の間で、第２の所定キーが押されるたびに輝度の状態を順番に変更させることが可能となる。また、中輝度で表示を行っている時に、オートモードに変更され、再びマニュアルモードに戻された場合も、レジスタに表示輝度の状態を保存しているので、前回のマニュアルモードでの表示状態を維持可能である。
【００７７】
第１の実施形態ではディスプレイユニット内に光センサ回路３２を設けた例を示したが、本体ユニット側に光センサ回路を設けても構わない。
【００７８】
上述のように、周囲の照度に応じて表示部の輝度を変更する表示モードと、周囲の照度に関係なく所定輝度で表示を行うモードとを切り替え可能とすることで、使用者にとって、適切な表示輝度でディスプレイへのデータ表示を行うことが可能である。また周囲の照度に関係なく所定輝度で表示を行うモードの場合には、不要な回路への電力供給を停止することで電子機器の省電力を図ることも可能である。
【００７９】
図１１に第２実施形態に係るディスプレイユニットのハードウェア構成図を示す。
【００８０】
第２実施形態では、ディスプレイユニット側に設けた場合、ディスプレイユニット内に輝度制御を行うようにした例である。
【００８１】
第１の実施形態と同じ回路については、同一番号を付し、説明を省略する。
【００８２】
マイコン６１が光センサ回路３２と接続されている。光センサ回路３２からの輝度情報がマイコン６１に入力され、マイコン６１により、電源回路４０で生成する電圧の制御信号を出力する。このマイコン６１には、レジスタ６２などが設けられており、このレジスタ６２は、現在の輝度制御モードの状態や、図６に示した電源回路４０への制御信号などの情報を記憶している。また、入出力端子３１から入力される信号に応じて、光センサ回路３２の電源オン／オフなども切り替えることが可能である。
【００８３】
次に、図１２に、第２の実施形態に係る表示モード切替えの制御フローチャートを示す。
【００８４】
まず、キーボード２から何らかの入力があった場合にＥＣ１９は割込み信号を上位のデバイスへ通知する。この割込み信号を検知したＣＰＵ１１は（ステップＳ４０１のＹＥＳ）、この割込み信号が、所定の割込み信号であるか否かを判断する（ステップＳ４０２）。ここでは、割込み信号がディスプレイの輝度制御モードの切り替えを示す割込みであるか否かを判断するが、輝度制御モードの切り替えを示す割込みであった場合（ステップＳ４０２のＹＥＳ）、ＣＰＵ１１は表示コントローラ１４を介してマイコン６１に対して輝度制御モードの切替えの所定キーが押されたことを示す信号を送出する（ステップＳ４０３）。マイコン６１は、信号を受け取った後、内部に設けられたレジスタ６２を参照する（ステップＳ４０４）。このレジスタ６２は、現在、輝度制御がどちらのモード（オートモードであるかマニュアルモード）であるかも記憶するレジスタである。このレジスタ６２を参照し、現在の表示モードがオートモードであった場合は（ステップＳ４０５のＹＥＳ）、マニュアルモードに変更する。マイコン６１は、レジスタを参照し所定輝度で点灯させる制御信号を電源回路４０へ出力し、電源回路４０は受信した制御信号に応じて、入力端子から受けた電圧を所定電圧へ変換し、バックライト４１の点灯制御を行う（ステップＳ４０６）。また、マニュアルモードでは、使用者により輝度の設定も行うことが可能であるので、表示輝度の状態をレジスタ６２に記憶する（ステップＳ４０７）。ここで、記憶された表示輝度は、次回以降、オートモードからマニュアルモードへ切り替えられた際に参照され、レジスタに記憶された輝度情報に基づいてバックライト４１の点灯制御が行われることになる。また、光センサ回路３２への電源供給を停止しする（ステップＳ４０８）。
【００８５】
なお、現在の表示モードがマニュアルモードであった場合は（ステップＳ４０５のＮＯ）、オートモードに切り替える。光センサ回路３２への電源供給を開始し、受光部７によって周囲環境照度の検出を行う（ステップＳ４０９）。受光部７によって検出された照度に基づき、図５に示した明るさに応じて、出力部４３で出力信号を生成し、輝度信号をマイコン６１へ出力する（ステップＳ４１０）。マイコン６１は、出力された情報を元にレジスタ６２を参照し図６に示したような制御信号を生成し（ステップＳ４１１）、電源回路４０へ出力する。電源回路４０は受信した制御信号を元に、バックライト４１の電圧を制御する（ステップＳ４１２）。このように、オートモードに設定されている時は、ステップＳ４０９からステップＳ４１２の間の制御処理が随時行われる。本実施形態では所定時間ごとに照度を検出して制御する。
【００８６】
上述のように、周囲の照度に応じて表示部の輝度を変更する表示モードと、周囲の照度に関係なく所定輝度で表示を行うモードとを切り替え可能とすることで、使用者にとって、適切な表示輝度でデータの表示を行うことが可能である。また周囲の照度に関係なく所定輝度で表示を行うモードの場合には、不要な回路への電力供給を停止することで電子機器の省電力を図ることも可能である。
【００８７】
本発明ではその主旨を逸脱しない範囲であれば、上記の実施形態に限定されるものではない。そして、携帯電話や、携帯型の小型電子機器等、表示装置を具備する電子機器に広く適用できるものである。
【００８８】
【発明の効果】
以上詳述した発明によれば、適切な表示輝度でディスプレイへのデータ表示を行うことが可能な電子機器、液晶表示装置及び表示制御方法を提供することが可能である。
【図面の簡単な説明】
【図１】第１の実施形態に係る電子機器の斜視図。
【図２】第１の実施形態に係る電子機器のハードウェア構成図。
【図３】第１の実施形態に係るディスプレイユニットのハードウェア構成図。
【図４】第１の実施形態に係る光センサ回路３２のブロック図。
【図５】第１の実施形態に係る光センサ回路から出力される信号例の図。
【図６】第１の実施形態に係るバックライトの輝度を制御する輝度設定例の図。
【図７】第１の実施形態に係る輝度制御モード切替の制御フローチャート。
【図８】第１の実施形態に係るセットアップ画面の図。
【図９】第１の実施形態に係る輝度制御を行う例の制御処理のフローチャート。
【図１０】第１の実施形態に係るマニュアルモードの時の輝度切替え制御のフローチャート。
【図１１】第２実施形態に係るディスプレイユニットのハードウェア構成図。
【図１２】第２の実施形態に係る表示モード切替えの制御フローチャート。
【符号の説明】
１…パソコン
２…キーボード
３…本体ケース
４…ヒンジ部
５…ディスプレイユニット
６…ＬＣＤ
７…受光部
１１…ＣＰＵ
１２…第１のブリッジ回路
１３…メインメモリ
１４…表示コントローラ
１５…ＡＧＰバス
１６…第２のブリッジ回路
１７…第１のバス
１８…第２のバス
１９…ＥＣ
２０…ＢＩＯＳ−ＲＯＭ
３１…入出力端子
３２…光センサ回路
３３…タイミングコントロール回路
３４…インターフェース回路
３５…タイミングコンバータ
３６…データドライバ
３７…走査ドライバ
３９…入力端子
４０…電源回路
４１…バックライト
４２…変換部
４３…出力部
４５…オン／オフ回路
５５…セットアップ画面
６１…マイコン
６２…レジスタ
【図１】
2004117944.tif 000003
【図２】
2004117944.tif 000004
【図３】
2004117944.tif 000005
【図４】
2004117944.tif 000006
【図５】
2004117944.tif 000007
【図６】
2004117944.tif 000008
【図７】
2004117944.tif 000009
【図８】
2004117944.tif 000010
【図９】
2004117944.tif 000011
【図１０】
2004117944.tif 000012
【図１１】
2004117944.tif 000013
【図１２】
2004117944.tif 000014